(57)【要約】【課題】かごパネル床面周辺の温度を一様に昇温させて快適なエレベーター利用が行なえるようにすると共に修理やメンテナンスが簡単に行なえるエレベーター床暖房装置を提供する。【解決手段】天板４と該天板の下側に取り付け固定した根太でもって形成した比較的浅い複数の空間部に面状のヒーター７をそれぞれ取り付け、該ヒーター７の適所にはサーモスタット１０を組み込み、該サーモスタット１０とケーブル１１によって連接し、且つ他のケーブル１３によって相互に連接した複数のコネクタ１２を前記天板４の周縁部近傍下側或いは根太に配設すると共に、前記空間部内には前記ヒーター７を覆うように断熱材８を配置して、かごパネル１の底部３上に前記根太を介して配設するようにし、前記コネクタの内の一つに電源コード１４を付設する。【選択図】            図１
2004269248.tif 000002
【特許請求の範囲】
【請求項１】
天板と該天板の下側に取り付け固定した根太でもって形成した比較的浅い複数の空間部に面状のヒーターをそれぞれ取り付け、該ヒーターの適所にはサーモスタットを組み込み、該サーモスタットとケーブルによって連接し、且つ他のケーブルによって相互に連接した複数のコネクタを前記天板の周縁部近傍下側或いは根太に配設すると共に、前記空間部内には前記ヒーターを覆うように断熱材を配置して、かごパネルの底部上に前記根太を介して配設するようにし、前記コネクタの内の一つに電源コードを付設したことを特徴とするエレベーター床暖房装置。
【請求項２】
天板の下側に取り付け固定した根太の下側に底板を取り付け、該底板を介してかごパネルの底部上に配設したことを特徴とする請求項１記載のエレベーター床暖房装置。
【請求項３】
天板の上面に床部材を取り付けたことを特徴とする請求項１及び請求項２記載のエレベーター床暖房装置。
【発明の詳細な説明】
【０００１】
【発明の属する技術分野】
本発明は、寒冷地や寒い冬場のエレベーターのかごパネル内の温度特に足元の温度を上昇させて、エレベーターを快適に利用するためのエレベーター床暖房装置に関するものである。
【０００２】
【従来の技術】
従来より、エレベーターに於けるかごパネル内の暖房はエアコン等によって極一般的に行なわれていて、珍しいものではない。そしてエアコン等暖房装置の温風吹き出し口は、多くの場合、かごの天井部に設けられている。その為かごパネル内の温度を一様に上昇させることは困難で、吹き出し口の周辺やかごパネル上方に対して下方特に床部分の温度は極端に低い。その結果、上半身は暖かいが足元が寒く、顔が火照っているのに、実際に感じる暖かさはそれ程でない場合が多々ある。こうした欠点を解決するものとして、足元を暖めることを主眼とした暖房装置付エレベーターが知られている。（特開平８−１８８３６０）このエレベーターの暖房装置の概要は、かご室の床面下側に発熱体を配設して該発熱体で発生させた熱をフアンによって前記かご室内の床面近くに開口した吹き出し口から送風するもので、吹き出し口近傍は暖かくなり、従って、その周辺の足元を暖めることが出来る。
【０００３】
【発明が解決しようとする課題】
しかしながら、この従来技術に於いては、吹き出し口周辺の足元は暖かくなるものの、床面中央部はそれ程でなく、床面全体を一様に暖かくするという点については満足できるものではなかった。更に暖房装置がかご室即ちかごパネルの外側で床面下側に取り付けられているため、修理やメンテナンスを行う時等はかごパネルの外で作業を行なわなければならないこともあり、いずれにしても、その作業は面倒くさく簡単と云えるものではなかった。
【０００４】
本発明の目的は、上記従来技術の問題点に鑑み、かごパネル床面周辺の温度を一様に昇温させて快適なエレベーター利用が行なえるようにすると共に修理やメンテナンスが簡単に行なえるエレベーター床暖房装置を提供することである。
【０００５】
【課題を解決するための手段】
上記目的を達成するために、請求項１記載の発明は、天板と該天板の下側に取り付け固定した根太でもって形成した比較的浅い複数の空間部に面状のヒーターをそれぞれ取り付け、該ヒーターの適所にはサーモスタットを組み込み、該サーモスタットとケーブルによって連接し、且つ他のケーブルによって相互に連接した複数のコネクタを前記天板の周縁部近傍下側或いは根太に配設すると共に、前記空間部内には前記ヒーターを覆うように断熱材を配置して、かごパネルの底部上に前記根太を介して配設するようにし、前記コネクタの内の一つに電源コードを付設したものである。このように構成したことにより、かごパネル床面周辺の温度を一様に昇温させて快適なエレベーター利用が行なえるようになり、修理やメンテナンスをかごパネル内で行なえるので、作業が簡単に実施できる。
【０００６】
請求項２記載の発明は、天板の下側に取り付け固定した根太の下側に底板を取り付け、該底板を介してかごパネルの底部上に配設したものである。このように構成したことにより、暖房装置のユニット化が図れ、かごパネルへの組み付けや施工が簡単になるばかりでなく、移動や運搬時に於ける外部の刺激からヒーター等暖房装置の主要構成部品を守ることが出来る。
【０００７】
請求項３記載の発明は、天板の上面に床部材を取り付けたものである。このように構成したことにより、利用者側のどのような好みにも対応可能であり、又、利用後に於いて床面を変更する必要に迫られた時にも、床部材を交換したり、従来の床部材の上に新しい床部材を取り付けるなりして、簡単に対応できる。
【０００８】
【発明の実施の形態】
以下、本発明の実施の形態を実施例である図１〜図４に基づき詳細に説明する。図１は本発明によるエレベーター床暖房装置の一実施例を示す平面から見た断面図で、図２は図１のＡ−Ａ断面図、そして図３は図１のＢ−Ｂ断面図であって、図４は本発明によるエレベーター床暖房装置の他の実施例を示す図１のＡ−Ａ断面に相当する断面図である。
【０００９】
それでは、図１〜図３を参照しながら、その構成を説明する。エレベーターの基本構造は箱状を呈したかごパネル１をワイヤーロープで懸架し、該ワイヤーロープを引っ張り上げ或いは下げたりすることで、前記かごパネル１を昇降させるものである。かごパネル１の一側（図１に於ける下側）は、かごパネル１内に出入りするために開放部となっていて、この開放部にはかごドア２が開閉可能に組み込まれている。かごパネル１の下側は底部３で、該底部３には天板４と二つの測部根太５と複数の中央部根太６そして前部根太１５と後部根太１６更に面状に形成された複数のヒーター７と断熱材８でもって構成された暖房装置が配設されている。
【００１０】
それでは、暖房装置について詳しく説明する。平面視略長方形を呈した底部３の上方部には、該底部３の周囲を取り囲む側壁に略接するように天板４が配置され、該天板４下面の両側にはそれぞれ側部根太５，５が適切な手段で取り付け固定され、かごドア２側には前部根太１５そして奥の方には後部根太１６が側部根太５，５同様に適切な手段で取り付け固定されている。側部根太５，５の間には図１で良く理解できるように、側部根太５，５と平行状に三つの中央部根太６，６，６が天板４下面に取り付け固定されている。こうして各根太を一体的に取り付け固定した天板４は、それぞれの根太を介してかごパネル１の底部３に適切な手段でもって取り付け固定されることになる。尚、図２及び図３には底部３と各根太の間に底板９を介在させた構成が示されているが、この場合それぞれの根太は、底部３ではなく底板９に取り付け固定されるようになり、底部３への配設は底板９を介して行なわれる。底板９は本発明の基本的構成という点では必ずしも絶対に必要ということではないが、後述するように暖房装置のユニット化を図る上で効果がある。
【００１１】
天板４と側部根太５，５そして中央部根太６，６，６更に前部根太１５と後部根太１６でもって作られる比較的浅い長方形状の空間部（本実施例では４箇所）には面状に形成されたヒーター７が適切な手段でそれぞれ配設され、該ヒーター７適所にはサーモスタット１０が組み込まれていて、前記天板４の周縁部近傍下側或いは前部根太１５適所に配設したコネクタ１２にケーブル１１により連接するようになっている。そして前記空間部内には前記ヒーター７を覆うように発泡ポリエチレン等を材料とした断熱材８が配設されている。複数のコネクタ１２はケーブル１３によって相互に連接されていて、その内の一つ（本実施例では図１左端のコネクタ）には電源コード１４が付設されており、先端部に設けたソケット（図示せず）をかごパネル１に設けたコンセント（図示せず）に差し込むことで、前記ヒーター７全ての電気的導通がなされる。ヒーター７の調整は、かごパネル１の適所に取り付けられるコントローラー（図示せず）で行い、このコントローラーにはＯＮ−ＯＦＦスイッチと強・中・弱の温度調整機構が設けられていて、調整を手動で行なっても良いが、タイマーやセンサーを使用して自動的に調整出来るようにすればより便利である。尚、前記コンセントとコントローラーは一体的に設けても良く、或いはそれぞれ別個に設けても良く、更にコントローラーをかごパネル１以外の所に取り付けて遠隔操作することも可能であり、要は使い勝手を考えて選択、配置すれば良い。
【００１２】
この様に、暖房装置の主要構成部品は前述の通り天板４と各根太でもって作られる比較的浅い長方形状の空間部にユニット状に組み込まれていて、この状態でかごパネル１へ取り付けることも可能である。どのような場合でも、複数の部品をユニット化することで組み付けや施工を簡単に、短時間で、正確に行うことが出来るようになるが、前述したように底板９を使用することで効果的なユニット化が図れる。その理由は、底板９を使用することで、暖房装置の主要構成部品の殆どが天板４と各根太そして底板９でもって覆われることになるからである。これによってヒーター７等が外部の刺激から守られるようになり、組み付け時や施工時は勿論移動や運搬時の安全が確保される。
【００１３】
次に、図１及び図４を参照しながら、他の実施例について説明する。平面視略長方形を呈した底部３の上方部には、該底部３の周囲を取り囲む側壁に略接するように天板４が配置され、該天板４下面の両側にはそれぞれ側部根太５，５が適切な手段で取り付け固定され、かごドア２側には前部根太１５そして奥の方には後部根太１６が側部根太５，５同様に適切な手段で取り付け固定されている。側部根太５．５の間には図１で良く理解できるように、側部根太５，５と平行状に三つの中央部根太６，６，６が天板４下面に取り付け固定されている。こうして各根太を一体的に取り付け固定した天板４は、それぞれの根太を介してかごパネル１の底部３に適切な手段でもって取り付け固定される。こうした構成は、既に説明した第１の実施例と同様であって、異なるところは、天板４の上面に床部材１７を適切な手段（接着、クリップ、ビスによる螺合等必要に応じて選択）でもって取り付けた点である。従って、第１の実施例の天板４は床部材を兼ねたものとなっているのは云うまでもない。
【００１４】
本発明に於いては天板４、底板９、そして各根太の材料を限定するものではないが、基本的には木材を考えており、その為、場合によっては利用者側の要望に合わせて部分的に木材ではなく、金属やプラスチックを使用する場合も有り、特に床面（第１実施例では天板に相当）は、利用者が見える所であり、且つ実際に足を乗せるところであるので、利用者側の要望も多種多様となる。その様な場合、床部材１７を使用し、該床部材１７を各種用意することで、極簡単に対応可能となる。
【００１５】
ところで、本発明によるエレベーター床暖房装置は実施例に限定するものでなく、発明の主旨を逸脱しない範囲で改変可能である。実施例に於いては、長方形状をした面状のヒーター７を４枚使用するようにしているが、３枚でも良く或いは５枚にしても良く、形状にしても必ずしも長方形状としなくても良いし、要はケースバイケースで、諸々の条件に合わせて対応させることが出来る。尚、その場合は各根太をはじめ関連する部品をヒーターの形状に対応させなくてはならないのは当然である。又、サーモスタット１０等と底部３との干渉、底板９を使用する場合は該底板９との干渉を考慮しなければならないが、各根太の高さを高くしたり、図３に示すように底板９の前記サーモスタット１０に相当する部分を切断して開放しても良い。
【００１６】
続いて、本発明によるエレベーター床暖房装置に使用するヒーター７について詳細に説明する。ヒーター７は面状の発熱体であれば良いのであるが、ＰＴＣ面状発熱体を使用するのが有利である。このＰＴＣ面状発熱体は、有機半導体を結晶性・熱可塑性のある樹脂に吸着させて生成した特殊半導体インキ（ＰＴＣインキ：ＰＴＣとはＰｏｓｉｔｉｖｅ  Ｔｅｍｐｒａｔｕｒｅ  Ｃｏ−ｅｆｆｉｖｉｅｎｔの頭文字）を耐熱性不織布やＰＥＴフィルムに特殊印刷技術により、厚さ１ｍｍ以下の薄型でフレキシブルなシートに仕上げた発熱体で、加熱の危険性がなく、温度ムラが少なく効率的な発熱が得られ、平面だけでなく曲面もムラなく暖められる。という特徴を有したものである。
【００１７】
【発明の効果】
本発明は、以上説明したように構成されているので、以下に説明するような効果を奏する。
【００１８】
本発明によるエレベーター床暖房装置は、天板と該天板の下側に取り付け固定した根太でもって形成した比較的浅い複数の空間部に面状のヒーターをそれぞれ取り付け、該ヒーターの適所にはサーモスタットを組み込み、該サーモスタットとケーブルによって連接し且つ他のケーブルによって相互に連接した複数のコネクタを前記天板の周縁部近傍下側或いは根太に配設すると共に前記空間部内には前記ヒーターを覆うように断熱材を配置してかごパネルの底部上に前記根太を介して配設するようにし前記コネクタの内の一つに電源コードを付設するようにしたので、天板（床部材）全体を面状のヒーターで暖めることになり、かごパネル床面周辺の温度を一様に昇温させて快適なエレベーター利用が出来るし、暖房装置がかごパネルの内部に配設されていることから、修理やメンテナンス作業が簡単に実施出来る。
【００１９】
更に、本発明によるエレベーター床暖房装置は、天板の下側に取り付け固定した根太の下側に底板を取り付け、該底板を介してかごパネルの底部上に配設したので、暖房装置のユニット化が図れ、かごパネルへの組み付けや施工が簡単になるばかりでなく、移動や運搬時に於ける外部の刺激からヒーター等暖房装置の主要構成部品を守ることが出来る。
【００２０】
更に、本発明によるエレベーター床暖房装置は、天板の上面に床部材を取り付けるようにしたので、利用者側のどのような好みにも対応可能であり、又、利用後に於いて床面を変更する必要に迫られた時にも、床部材を交換したり、従来の床部材の上に新しい床部材を取り付けるなりして、簡単に対応できる。
【図面の簡単な説明】
【図１】本発明によるエレベーター床暖房装置の一実施例を示す平面から見た断面図である。
【図２】図１のＡ−Ａ断面図である。
【図３】図１のＢ−Ｂ断面図である。
【図４】本発明によるエレベーター床暖房装置の他の実施例を示す図１のＡ−Ａ断面に相当する断面図である。
【符号の説明】
１    かごパネル            １０  サーモスタット
２    かごドア              １１  ケーブル
３    底部                  １２  コネクタ
４    天板                  １３  ケーブル
５    側部根太              １４  電源コード
６    中央部根太            １５  前部根太
７    ヒーター              １６  後部根太
８    断熱材                １７  床部材
９    底板
【図１】
2004269248.tif 000003
【図２】
2004269248.tif 000004
【図３】
2004269248.tif 000005
【図４】
2004269248.tif 000006